(57)【特許請求の範囲】
【請求項１】
少なくとも既存柱、既存梁及び既存床を備えた鉄筋コンクリート造又は鉄骨鉄筋コンクリート造の既存建築物の耐震補強方法において、既存柱の周囲を覆うように鋼製の補強柱を設け、既存梁上の既存床の上側に鋼製の補強梁の床上梁部材を配し、かつ既存梁の下側に既存梁の下側を覆うように補強梁の床下梁部材を配し、既存床を貫通させた鋼製の連結部材にて床上梁部材と床下梁部材とを既存床を挾んで接合して補強梁を構築し、既存柱と既存梁との接合部である既存仕口部の上側に鋼製の仕口補強体の床上部分を配し、既存仕口部の下側に仕口補強体の床下部分を配し、既存床を貫通させた鋼製の連結部材にて仕口補強体の床上部分と床下部分とを既存床を挾んで接合して仕口補強体を構築し、補強柱及び補強梁を仕口補強体に接合して剛性や耐力の大きい補強フレームを構築することを特徴とする既存建築物の耐震補強方法。
【請求項２】
既存柱、既存梁及び既存床を備えた鉄筋コンクリート造又は鉄骨鉄筋コンクリート造の既存建築物の既存柱の周囲を覆うように鋼製の補強柱を設け、既存梁上の既存床の上側に鋼製の補強梁の床上梁部材を配し、かつ既存梁の下側に既存梁の下側部分を覆うように補強梁の床下梁部材を配し、既存床を貫通させた鋼製の連結部材にて床上梁部材と床下梁部材とを既存床を挾んで接合して補強梁を構築し、既存柱と既存梁との接合部である既存仕口部の上側に鋼製の仕口補強体の床上部分を配し、既存仕口部の下側に仕口補強体の床下部分を配し、既存床を貫通させた鋼製の連結部材にて仕口補強体の床上部分と床下部分とを既存床を挾んで接合して仕口補強体を構築し、補強柱及び補強梁を仕口補強体に接合して剛性や耐力の大きい補強フレームを構築する既存建築物の耐震補強方法において、仕口補強体の床上部分を鋼板製の外上ダイヤフラムで構成し、その床下部分を鋼製の外下ダイヤフラムと、外中ダイヤフラムと、外下ダイヤフラムと外中ダイヤフラムとを連結する仕口柱部材及び接続板とで構成し、既存柱の周囲の既存床のその下側に既存梁が存在しない部分に既存柱に沿って既存床を貫通する縦溝孔を設け、前記仕口柱部材と一体化される鋼製の床柱部材が前記縦溝孔に通され、仕口柱部材及び床柱部材と補強柱とが一体化されることを特徴とする既存建築物の耐震補強方法。
【請求項３】
鋼製の仕口補強体の床下部分が、既存梁と既存柱との接合部の近傍の既存床の下面を覆う部分と前記接合部の近傍の既存梁を受け入れる溝部と補強梁の床下梁部材の上弦部材の取付部とを備えた外中ダイヤフラムと、既存梁の幅よりも幅広で前記接合部の近傍の既存梁の下側を覆う部分と補強梁の床下梁部材の底連結部材の取付部とを備えた外下ダイヤフラムと、既存梁と既存柱との接合部分の既存梁が接合されていない部分を覆う複数の仕口柱部材と、既存柱の周囲の既存床のその下側に既存梁が存在しない部分に既存柱に沿って既存床を貫通させて設けた複数の縦溝孔にそれぞれ通す複数の床柱部材と、前記接合部分の近傍の既存梁の両側面を覆う複数対の接続板とからなり、前記接合部の近傍の既存梁の梁成に対応させて外中ダイヤフラムと外下ダイヤフラムとが配置され、外中ダイヤフラムと外下ダイヤフラムとの間に各仕口柱部材及び各接続板が配置され、各仕口柱部材の上部及び下部が外中ダイヤフラム及び外下ダイヤフラムの既存梁側の部分に接合され、各対の接続板の上部及び下部が既存梁の幅に対応する間隔を保って外中ダイヤフラム及び外下ダイヤフラムの既存梁方向に延びる部分に接合され、仕口柱部材と床柱部材とが接合されて一体に構成されていることを特徴とする請求項２記載の既存建築物の耐震補強方法。
【請求項４】
既存床を貫通させた鋼製の連結部材にて外上ダイヤフラムと外中ダイヤフラムとを既存床を挾んで接合することを特徴とする請求項２又は３記載の既存建築物の耐震補強方法。
【請求項５】
補強梁の床下梁部材及び仕口補強体の床下部分の構成部分をこれらに対応する既存建築物の部分に植設したアンカーを用いて既存建築物に固着することを特徴とする請求項１〜３のいずれかの項記載の既存建築物の耐震補強方法。
【請求項６】
既存柱、既存梁及び既存床を備えた鉄筋コンクリート造又は鉄骨鉄筋コンクリート造の既存建築物の既存柱の周囲を覆うように鋼製の補強柱を設け、既存梁上の既存床の上側に鋼製の補強梁の床上梁部材を配し、かつ既存梁の下側に既存梁の下側部分を覆うように補強梁の床下梁部材を配し、既存床を貫通させた鋼製の連結部材にて床上梁部材と床下梁部材とを既存床を挾んで接合して補強梁を構築し、既存柱と既存梁との接合部である既存仕口部の上側に鋼製の仕口補強体の床上部分を配し、既存仕口部の下側に仕口補強体の床下部分を配し、既存床を貫通させた鋼製の連結部材にて仕口補強体の床上部分と床下部分とを既存床を挾んで接合して仕口補強体を構築し、補強柱及び補強梁を仕口補強体に接合して剛性や耐力の大きい補強フレームを構築する既存建築物の耐震補強方法において、鋼製の補強梁の床上梁部材を既存梁の幅よりも幅広にし、補強梁の床下梁部材を対の平面トラスを既存梁の幅に合わせて平行に配し各平面トラスの下弦部材を鋼製の底連結部材で連結して横断面略Ｕ形にして形成し、既存床を貫通させた鋼製の連結部材にて補強梁の床上梁部材と床下梁部材の平面トラスの上弦部材とを既存床を挾んで接合することを特徴とする既存建築物の耐震補強方法。
【請求項７】
補強梁の床下梁部材の対の平面トラスの上弦部材が山形鋼で構成され、各平面トラスの下弦部材を連結する底連結部材が既存梁の幅よりも幅広につくられていることを特徴とする請求項６記載の既存建築物の耐震補強方法。
【請求項８】
補強梁の床上梁部材、仕口補強体の外上ダイヤフラム、外下ダイヤフラム及び外中ダイヤフラムのいずれかを、鋼製のモザイク板を接合して構築することを特徴とする請求項１〜４、６のいずれかの項記載の既存建築物の耐震補強方法。
【請求項９】
補強梁の床上梁部材を構築するための鋼製のモザイク板又は仕口補強体の外上ダイヤフラムを構築するための鋼製のモザイク板の下面の所定位置に、鋼製の連結部材又はナットを溶接等の接合手段により強固に接合することを特徴とする請求項８記載の既存建築物の耐震補強方法。
【請求項１０】
既存床に穿設された孔又は溝孔の内周面と該孔又は溝孔に通された連結用の部材の外周面との間の隙間をモルタル、セメント、接着剤等の充填材で埋めることを特徴とする請求項１〜４、６のいずれかの項記載の既存建築物の耐震補強方法。
【発明の詳細な説明】
【０００１】
【発明の属する技術分野】
この発明は、既存建築物の耐震補強方法、特に、その既存柱、既存梁及び既存床に沿って補強柱及び補強梁からなる補強フレームを構築して既存建築物を補強する耐震補強方法に関する。
【０００２】
【従来の技術】
既存建築物の耐震補強方法には、例えば、次の▲１▼〜▲４▼のようなものがある。
▲１▼ 既存建築物の鉄筋コンクリート造の柱の外側に、その長手方向に延在させて配された複数の添え筋と該添え筋の外側にその長手方向に間隔をおいて配された複数のフープ筋とからなる補強鉄筋を配置し、この補強鉄筋の外側に型枠を配置し、型枠の内側面と柱の外側面との間の隙間をモルタル又はコンクリートで埋め、モルタル又はコンクリートの硬化後に型枠を外す方法。
▲２▼ 既存建築物の鉄筋コンクリート造の柱の外側を、鉄板等からなる補強用部材で覆い、この補強用部材の内側面と柱の外側面との間の隙間をモルタル又はコンクリートで埋める方法。
▲３▼ 既存鉄筋コンクリート造等の建築物の架構の柱及び梁に間隔をおいて多数のアンカー用鉄棒を植設し、前記架構の内側に金属枠体を配し、該金属枠体をアンカー用鉄棒を介して柱及び梁に取付け、前記金属枠体内に金属製のブレース材を配し、このブレース材の両端部等を金属枠体に固着し、ブレース材にて架構を補強する方法。
▲４▼ 既存鉄筋コンクリート造等の建築物の架構の柱及び梁に間隔をおいて多数のアンカー用鉄筋を植設し、前記架構内に縦鉄筋と横鉄筋とからなる壁鉄筋を配し、この壁鉄筋をアンカー用鉄筋を介して柱及び梁に取付け、壁鉄筋の周囲に割裂防止筋を配し、壁鉄筋及び割裂防止筋の両側に型枠を配し、型枠間の隙間をモルタル又はコンクリートで埋め、モルタル又はコンクリートの硬化後に型枠を外し、耐震壁を構築する方法。
【０００３】
【発明が解決しようとする課題】
上記▲１▼及び▲２▼の耐震補強方法は、柱や梁の部材の断面を増大させて、それらを強化させ、それらの剪断耐力を増加させるものであり、部材の剪断耐力は増大するが、架構の曲げ耐力が増加しないため、建築物のトータルの強度の大幅な上昇は見込めないことが多い。
上記▲３▼のブレースを新設する耐震補強方法及び上記▲４▼の耐震壁を新設する耐震補強方法は、剪断耐力の大幅な上昇が見込め、基準値を満足させるのに有効な方法である。しかし、ブレース又は耐震壁（めくら壁）を新設することが、従来の建物動線を致命的に遮断する場合が多く、その建築物の部屋の使い勝手を悪くしてしまうという欠点がある。
また、多量のコンクリートを使う耐震補強方法は、建築物自体の重量の上昇を招き、逆に建築物の耐震性を低下させることになる恐れがある。
この発明の解決しようとする課題は、上記▲１▼〜▲４▼のような従来技術が有している欠点を有しない既存建築物の耐震補強方法を提供すること、換言すると、既存建築物の柱、梁及び床からなる架構を補強フレームで覆うことにより（既存建築物の内部にブレースや耐震壁を設けることなく）、その使い勝手を損ねることなく、その剪断耐力を大幅に上昇させ得る既存建築物の耐震補強方法を提供することにある。
【０００４】
【課題を解決するための手段】
この発明の既存建築物の耐震補強方法は、少なくとも既存柱、既存梁及び既存床を備えた鉄筋コンクリート造又は鉄骨鉄筋コンクリート造の既存建築物の耐震補強方法において、既存柱の周囲を覆うように鋼製の補強柱を設け、既存梁上の既存床の上側に鋼製の補強梁の床上梁部材を配し、かつ既存梁の下側に既存梁の下側を覆うように補強梁の床下梁部材を配し、既存床を貫通させた鋼製の連結部材にて床上梁部材と床下梁部材とを既存床を挾んで接合して補強梁を構築し、既存柱と既存梁との接合部である既存仕口部の上側に鋼製の仕口補強体の床上部分を配し、既存仕口部の下側に仕口補強体の床下部分を配し、既存床を貫通させた鋼製の連結部材にて仕口補強体の床上部分と床下部分とを既存床を挾んで接合して仕口補強体を構築し、補強柱及び補強梁を仕口補強体に接合して剛性や耐力の大きい補強フレームを構築するものである。
【０００５】
この発明の好適な実施形態にあっては、例えば、次の（Ａ）〜（Ｄ）ようにする。
（Ａ）仕口補強体の床上部分を鋼板製の外上ダイヤフラムで構成し、その床下部分を鋼製の外下ダイヤフラムと、外中ダイヤフラムと、外下ダイヤフラムと外中ダイヤフラムとを連結する仕口柱部材及び接続板とで構成し、既存柱の周囲の既存床のその下側に既存梁が存在しない部分に既存柱に沿って既存床を貫通する縦溝孔を設け、前記仕口柱部材と一体化される鋼製の床柱部材を前記縦溝孔に通し、仕口柱部材及び床柱部材と補強柱とを一体化する。
（Ｂ）鋼製の仕口補強体の床下部分は、既存梁と既存柱との接合部の近傍の既存床の下面を覆う部分と前記接合部の近傍の既存梁を受け入れる溝部と補強梁の床下梁部材の上弦部材の取付部とを備えた外中ダイヤフラムと、既存梁の幅よりも幅広で前記接合部の近傍の既存梁の下側を覆う部分と補強梁の床下梁部材の底連結部材の取付部とを備えた外下ダイヤフラムと、既存梁と既存柱との接合部分の既存梁が接合されていない部分を覆う複数の仕口柱部材と、既存柱の周囲の既存床のその下側に既存梁が存在しない部分に既存柱に沿って既存床を貫通させて設けた複数の縦溝孔にそれぞれ通す複数の床柱部材と、前記接合部分の近傍の既存梁の両側面を覆う複数対の接続板とからなり、前記接合部の近傍の既存梁の梁成に対応させて外中ダイヤフラムと外下ダイヤフラムとを配置し、外中ダイヤフラムと外下ダイヤフラムとの間に各仕口柱分材及び各接続板を配置し、各仕口柱部材の上部及び下部を外中ダイヤフラム及び外下ダイヤフラムの既存梁側の部分に接合し、各対の接続板の上部及び下部を既存梁の幅に対応する間隔を保って外中ダイヤフラム及び外下ダイヤフラムの既存梁方向に延びる部分に接合し、仕口柱部材と床柱部材とを接合して一体のものとして構成する。
【０００６】
（Ｃ）既存床を貫通させた鋼製の連結部材（例えば、ボルト、スタッド）にて外上ダイヤフラムと外中ダイヤフラムとを既存床を挾んで接合する。
（Ｄ）補強梁の床下梁部材の構成部分（上弦部材、下弦部材、ラチス材及び底連結部材）は既存梁に植設したアンカーを用いて既存梁に固着する。また、仕口補強体の床下部分（外下ダイヤフラム、外中ダイヤフラム、仕口柱部材及び接続板）は既存梁等に植設したアンカーを用いて既存梁等に固着する。そして、それらの座屈を防止する。
（Ｅ）鋼製の補強梁の床上梁部材を既存梁の幅よりも幅広にし、補強梁の床下梁部材を対の平面トラスを既存梁の幅に合わせて平行に配し各平面トラスの下弦部材を鋼製の底連結部材で連結して横断面略Ｕ形にして形成し、既存床を貫通させた鋼製の連結部材（例えば、ボルト、スタッド）にて補強梁の床上梁部材と床下梁部材の平面トラスの上弦部材とを既存床を挾んで接合する。
（Ｆ）補強梁の床下梁部材の対の平面トラスの上弦部材は山形鋼で構成し、各平面トラスの下弦部材を連結する底連結部材は、既存梁の幅よりも幅広につくる。
（Ｇ）補強梁の床上梁部材は、鋼製のモザイク板を接合して構成し、また、仕口補強体の外上ダイヤフラム、外下ダイヤフラム及び外中ダイヤフラムも鋼製のモザイク板を接合して構成する。
（Ｈ）仕口補強体の外上ダイヤフラムをつくるための鋼製のモザイク板又は補強梁の床上梁部材をつくるための鋼製のモザイク板の下面の所定位置に、鋼製の連結部材（例えば、ボルト、スタッド）又はナットを溶接等の接合手段により強固に接合しておくと、ボルトの頭部やナットが前記板の上側に突出しない。
（Ｉ）既存床に貫通させて穿設した孔又は溝孔の内周面と該孔又は溝孔に通された連結用の部材の外周面との間の隙間はモルタル、セメント、接着剤等の充填材で埋めるようにする。
【０００７】
【作用】
この出願の発明は、既存柱の周囲を覆うように鋼製の補強柱を設け、既存梁上の既存床の上側に鋼製の補強梁の床上梁部材を配し、かつ既存梁の下側に既存梁の下側を覆うように補強梁の床下梁部材を配し、既存床を貫通させた鋼製の連結部材にて床上梁部材と床下梁部材とを既存床を挾んで接合して補強梁を構築し、既存柱と既存梁との接合部である既存仕口部の上側に鋼製の仕口補強体の床上部分を配し、既存仕口部の下側に仕口補強体の床下部分を配し、既存床を貫通させた鋼製の連結部材にて仕口補強体の床上部分と床下部分とを既存床を挾んで接合して仕口補強体を構築し、補強柱及び補強梁を仕口補強体に接合して剛性や耐力の大きい補強フレームを構築するから、補強フレーム単独で耐震上の耐力を有し、この耐力を既存建築物に累加することができる。
【０００８】
【実施例】
実施例は、図１〜図１０に示され、この出願の発明を鉄筋コンクリート造の既存建築物の耐震補強に適用した例である。
図１及び図６に示す既存建築物１は、鉄筋コンクリート造で多層に建築され、横断面四角形の多数の既存柱２（１本だけ図示）が横断面矩形の多数の既存梁３（４本だけ図示）で連結され、既存床４が既存梁３の上側に既存梁３及び既存柱２と一体に構築されている。
補強フレーム１０は、補強柱１１、補強梁１２、仕口補強体１３等で構成される。
補強柱１１は、図１及び図２に示すように、既存柱２の下部の既存床４の床面と既存柱２の上部の既存梁３の下面との間の既存柱２を覆う鋼製の筒体で構成される。図示の既存柱２は、横断面が四角形であるため、既存柱２の外形と一致する内形を備えた鋼製の四角筒体で補強柱１１が構成されている。
補強柱１１は、例えば、前記四角筒体をその中心軸線と四角筒体の一つの平面の長手方向に延びる２等分線とを含む平面にて２等分した形状（横断面がコ字状）の鋼製の樋状体を用意し、対の樋状体を外側から既存柱２に嵌め、対の樋状体の互いに対面する長手方向の端縁を溶接等の接合手段により接合して形成する。
【０００９】
補強梁１２は、床上梁部材１２Ａ、床下梁部材１２Ｂ及び連結部材で構成される。
床上梁部材１２Ａは、図１及び図２に示すように、既存梁３の直上の既存床４の上側に、多数の鋼製のモザイク板Ｐｍ１を一列に並べ、それらの突合せ部分を溶接（下向き隅肉溶接）等の接合手段により互いに接合してなる幅Ｗ1の板状体で構成される。幅Ｗ1は、例えば、既存梁４の幅Ｗの倍以上である。
実施例のモザイク板Ｐｍ１の平面視の形状は、図２に示すように、短辺がＷ1／２で長辺がＬ1（例えば、Ｌ1はＷ1より長い）の二つの矩形Ｐｍ１ａ，Ｐｍ１ｂをそれらの長辺の半分が重なるように長手方向にずらして接合した形状であるが、これに限定するものではない。
図示の実施例では、各モザイク板Ｐｍ１には、その既存梁３の上面に対面しない部分に４個のボルト孔ｂｈ1が穿設されているが、ボルト孔の数は４以上にするのがよい。
【００１０】
床下梁部材１２Ｂは、図１及び図６に示すように、１対の平面トラス１２Ｂ１を底連結板１２Ｂ２にて接合して断面略Ｕ字形にしたラチス梁形式のものである。平面トラス１２Ｂ１は、不等辺山形鋼からなる上弦部材１２Ｂ１ａと鋼板製の幅狭の下弦部材１２Ｂ１ｂとの間に鋼製のラチス部材１２Ｂ１ｃをジクザク状に配し、ラチス部材１２Ｂ１ｃの上部及び下部を上弦部材１２Ｂ１ａの不等辺山形鋼の短辺部及び下弦部材１２Ｂ１ｂに溶接等の接合手段により接合して製作する。  底連結板１２Ｂ２は既存梁３の幅Ｗよりも幅が広く床上梁部材１２Ａの幅Ｗ1よりも幅が狭い幅Ｗ2の鋼製の板体で構成され、この底連結板１２Ｂ２の上側に１対の平面トラス１２Ｂ１を既存梁３の幅Ｗに合わせて平行に配置し、各平面トラス１２Ｂ１の下弦部材１２Ｂ１ｂの下端縁を底連結板１２Ｂ２の上面に溶接等の接合手段により接合して床下梁部材１２Ｂとする。又は底連結板１２Ｂ２の上面に１対の下弦部材１２Ｂ１ｂを溶接等の接合手段により接合してから、この下弦部材１２Ｂ１ｂにラチス部材１２Ｂ１ｃと上弦部材１２Ｂ１ａを接合して構成するようにしてもよい。
上弦部材１２Ｂ１ａの不等辺山形鋼の長辺部分に床上梁部材１２Ａのボルト孔ｂｈ1に対応させてボルト孔ｂｈ2をそれぞれ穿設し、各ラチス部材１２Ｂ１ｃにも、ボルト孔ｂｈ2を穿設する。
なお、図７に示すように、１対の下弦部材１２Ｂ１ｂと底連結板１２Ｂ２とを横断面が［ 形の鋼材で構成して、床下梁部材１２Ｂを製作してもよい。
【００１１】
仕口補強体１３は、図１〜図５及び図８に示すように、鋼製の外上ダイヤフラム１３Ａ１からなる床上部分１３Ａと、鋼製の外下ダイヤフラム１３Ｂ１、外中ダイヤフラム１３Ｂ２、仕口柱部材１３Ｂ３、床部柱部材１３Ｂ４及び接続板１３Ｂ５からなる床下部分１３Ｂとを連結部材で連結して構成される。
外上ダイヤフラム１３Ａ１は、既存梁３と既存柱２との接合部の近傍の既存床４の上面を覆う部分１３Ａ１ａと、補強梁１２の床上梁部材１２Ａの取付部１３Ａ１ｂ１のある既存梁方向に延びる部分１３Ａ１ｂとを備え、例えば、４枚の鋼板製のモザイク板Ｐｍ２を接合して製作される。
実施例のモザイク板Ｐｍ２の形状は、例えば、図２に示すように、短辺がＷ１／２で長辺がＬ２（例えば、Ｌ２はＷ１より大きい）の長い矩形Ｐｍ２ａと、短辺がＷ１／２で長辺がＬ３（例えば、Ｌ３はＬ２よりＷ１／２だけ短い）の短い矩形Ｐｍ２ｂと、前記矩形Ｐｍ２ａ，Ｐｍ２ｂをつなぐ直角三角形Ｐｍ２ｃとからなる平面視略Ｌ字形の形状である。
モザイク板Ｐｍ２の長い矩形Ｐｍ２ａの部分の既存梁３の上面と重ならない部分に二つのボルト孔ｂｈ３を穿設し、その短い矩形Ｐｍ２ｂ部分の既存梁３の上面と重ならない部分に一つのボルト孔ｂｈ３を穿設する。
図２に示すように、既存柱２の周囲の既存床４上に４枚のモザイク板Ｐｍ２を配置し、互いに隣接するモザイク板Ｐｍ２の矩形Ｐｍ２ａ，Ｐｍ２ｂ部分の長い辺と短い辺とを溶接（例えば、下向き隅肉溶接）等の接合手段により接合して仕口補強体１３の床上部分１３Ａとなる外上ダイアフラム１３Ａ１を形成する。
【００１２】
外下ダイヤフラム１３Ｂ１は、図５に示すように、既存梁３と既存柱２との接合部の近傍の既存床４の下側を覆う部分１３Ｂ１ａと、接合部の近傍の既存梁３の下面を覆いかつ補強梁１２の床下梁部材１２Ｂの底連結部材１２Ｂ２の取付部１３Ｂ１ｂ1のある既存梁方向に延びる部分１３Ｂ１ｂとを備え、例えば、４枚の鋼板製のモザイク板Ｐｍ３を接合して製作される。
実施例のモザイク板Ｐｍ３の形状は、例えば、図５に示すように、短辺がＷ1／２で長辺がＬ4（例えば、Ｌ4はＬ2より少々大きい）の二つの長い矩形Ｐｍ３ａ，Ｐｍ３ｂと直角三角形Ｐｍ３ｃとからなる平面視略Ｌ字形の形状である。
既存柱２の周囲の既存梁３の近傍の既存梁３の下面に接するように４枚のモザイク板Ｐｍ３が配され、互いに隣接するモザイク板Ｐｍ３の矩形Ｐｍ３ａ，Ｐｍ３ｂ部分の長い辺を溶接等の接合手段により接合して外下ダイヤフラム１３Ｂ１が形成される。
中ダイヤフラム１３Ｂ２は、既存梁３と既存柱１との接合部の近傍の既存床４の下面を覆う部分１３Ｂ２ａと、接合部の近傍の既存梁３を受け入れる溝部１３Ｂ２ｃと補強梁１２の床下梁部材１２Ｂの上弦部材１２Ｂ１の取付部１３Ｂ２ｂ1とのある既存梁方向に延びる部分１３Ｂ２ｂとを備え、例えば、４枚の鋼製のモザイク板Ｐｍ４で構成される。
実施例のモザイク板Ｐｍ４の形状は、例えば、短辺が（Ｗ1−Ｗ）／２で長辺がＬ5の端部に切欠きのある長い矩形Ｐｍ４ａ，短辺が（Ｗ1−Ｗ）／２で長辺がＬ6（例えば、Ｌ6はＬ5より少々短い）の端部に切欠きのある長い矩形Ｐｍ４ｂと直角三角形Ｐｍ４ｃとからなる図４に示す平面視略Ｌ字状の形状である。
各モザイク板Ｐｍ４の長い矩形Ｐｍ４ａ，Ｐｍ４ｂに沿ってモザイク板Ｐｍ２のボルト孔ｂｈ3に対応させてボルト孔ｂｈ4が穿設される。
【００１３】
仕口柱部材１３Ｂ３は、図１及び図４に示すように、既存柱２と既存梁３との接合部の既存梁３が接合されていない既存柱２の部分２ｂを覆い得る形状及び寸法の鋼製の横断面Ｌ字形の部材で構成される。
既存柱２の周囲の既存床４のその直下に既存梁３が存在しない部分に、既存柱２に沿って既存床４を貫通する平面視Ｌ字形の縦溝孔４ａを穿設する。
床部柱部材１３Ｂ４は、図３に示すように、前記縦溝孔４ａに対応する既存柱２の部分を覆い得る形状及び寸法の横断面Ｌ字形の鋼製の部材で構成される。
なお、仕口柱部材１３Ｂ３と床部柱部材１３Ｂ４とは一体に形成してもよいし、別個に製作して、組み付け時に溶接等の接合手段により接合するようにしてもよい。
接続板１３Ｂ５は、図１、図４及び図８に示すように、既存柱２よりの既存梁３の両側面を覆い得る形状及び寸法の鋼製の板体で構成される。
【００１４】
外中ダイヤフラム１３Ｂ２と外下ダイヤフラム１３Ｂ１と間に、仕口柱部材１３Ｂ３及び接続板１３Ｂ５を配し、仕口柱部材１３Ｂ３及び接続板１３Ｂ５の上端縁を外中ダイヤフラム１３Ｂ２の既存柱側の端縁の下側及び溝部１３Ｂ２ｃ側の端縁の下側に溶接等の接合手段により接合し、接続板１３Ｂ５及び仕口柱部材１３Ｂ３の下端縁を外下ダイヤフラム１３Ｂ１の上面及び既存柱側の端縁の上側に溶接等の接合手段により接合し、仕口柱部材１３Ｂ３及び接続板１３Ｂ５の上下方向の端縁同士を溶接等の接合手段により接合して仕口補強体１３の床下部分１３Ｂが形成される。
仕口補強体１３の床下部分１３Ｂの既存柱２及び既存梁３への取付等を容易にするためには、例えば、モザイク板Ｐｍ４とモザイク板Ｐｍ３との間に仕口柱部材１３Ｂ３及び接続板１３Ｂ５を配し、仕口柱部材１３Ｂ３及び接続板１３Ｂ５の上端縁をモザイク板Ｐｍ４の既存柱側の端縁の下側及び溝部１３Ｂ２ｃ側の端縁の下側に接合５し、接続板１３Ｂ５及び仕口柱部材１３Ｂ３の下端縁をモザイク板Ｐｍ３の上面及び既存柱側の端縁の上側に接合し、かつ仕口柱部材１３Ｂ３及び接続板１３Ｂ５の上下方向の端縁同士を互いに接合して仕口補強体１３の床下部分１３Ｂの分割（４分割）床下部分１３Ｂ’を製作し、これを仕口部の既存柱２及び既存梁３へ取付け、互いに溶接等の接合手段により接合して仕口補強体１３の床下部分１３Ｂを形成するようにする。
【００１５】
次に、補強フレーム１０を使う既存建築物１の耐震補強方法を説明する。
鉄筋コンクリート造の既存建築物１に補強フレーム１０を取付ける以前に、既存柱２の周囲の既存床４のその直下に既存梁３が存在しない部分に、既存柱２に沿って既存床４を貫通する平面視Ｌ字形の縦溝孔４ａを穿設する。また、既存梁３と既存床４との接合線より少々離れた既存床４の部分に、床上梁部材１２Ａのモザイク板Ｐｍ１のボルト孔ｂｈ１に対応させて、既存床４を貫通するボルト孔４ｂを穿設し、仕口補強体１３の床上部分１３Ａの外上ダイヤフラム１３Ａ１のモザイク板Ｐｍ２の各ボルト孔ｂｈ３に対応する既存床４の各部分にこれを貫通するボルト孔４ｃを穿設する。さらに、既存梁３の両側面の床下梁部材１２Ｂの各ラチス部材１２Ｂ１ｃのボルト孔ｂｈ５に対応する各部分に、それぞれナット又はボルトの植込孔を穿設し、各植込孔内に樹脂、セメント等の接着材とナット又はボルトとを挿入し、ナット又はボルトを前記接着材を介して既存梁３の側部に植設する。
【００１６】
それから、既存梁３の下側の既存柱２に、その外側からコ字状の対の樋状体を嵌め、各樋状体の長手方向の端縁を溶接等の接合手段により接合して、下側の補強柱１１を構築する。
次に、各既存柱２の周囲の既存床４上に、４枚の鋼製のモザイク板Ｐｍ２を図２に示すように配置し、互いに隣接するモザイク板Ｐｍ２の矩形Ｐｍ２ａ，Ｐｍ２ｂ部分の長い辺を溶接等の接合手段により接合して外上ダイヤフラム１３Ａ１を形成する。
既存梁３直上の既存床４上に、モザイク板Ｐｍ１を一列に並べ、かつそれらの突合せ部分を溶接（下向きすみ肉溶接）等の接合手段により互いに接合し、床上梁部材１２Ａを形成する。そして、床上梁部材１２Ａの両端を外上ダイヤフラム１３Ａ１の取付部１３Ａ１ｂ1に溶接（下向きすみ肉溶接）等の接合手段により接合する。
【００１７】
１対のモザイク板Ｐｍ３とモザイク板Ｐｍ４とを一つの仕口柱部材１３Ｂ３及び１対の接続板１３Ｂ５で接合してつくった仕口補強体１３の床下部分１３Ｂの一つの分割（４分割）床下部分１３Ｂ’を、既存柱２の周囲の既存床４の下側に配し、仕口柱部材１３Ｂ３と一体になっている床柱部材１３Ｂ４を既存床４の縦溝孔４ａに差し込み、外上ダイヤフラム１３Ａ１の各ボルト孔ｂｈ３、既存床４の各ボルト孔４ｃ、及び外中ダイヤフラム１３Ｂ２の各ボルト孔ｂｈ４にそれぞれボルトｂ２を通し、各ボルトｂ２の先のねじ部にナットｎ２をねじ込んで分割床下部分１３Ｂ’を仮取付する。同じやり方で４個の分割床下部分１３Ｂ’を仮取付してから、各分割床下部分１３Ｂ’を溶接等の接合手段によって接合して、仕口補強体１３の床下部分１３Ｂを構成する。
それから、各ボルトｂ２・ナットｎ２を本締め付けし、かつ床柱部材１３Ｂ４の上端をこれに対面する外上ダイヤフラム１３Ａ１の既存柱２に面する部分１３Ａ１ａ１に溶接等の接合手段によって接合して、仕口補強体１３の床上部分１３Ａと床下部分１３Ｂとを一体化する。
それから、仕口補強体１３の床下部分１３Ｂの外下ダイヤフラム１３Ｂ１の既存柱２側の端縁の下側とこれに対面する下側の補強柱１１の上端とを溶接等の接合手段によって接合する。
なお、必要に応じて、既存梁３に植設したアンカーを用いて、仕口補強体１３の床下部分１３Ｂの外下ダイヤフラム１３Ｂ１及び接続板１３Ｂ５を既存梁３に接合し、また、その床下部分１３Ｂの仕口柱部材１３Ｂ３を既存柱３に植設したアンカーを用いて既存柱２に接合するようにしてもよい。
【００１８】
既存梁３の下側に床下梁部材１２Ｂを配し、その対の平面トラス１２ｂ１間に既存梁３を位置させ、その上弦部材１２Ｂ１ａの不等辺山形鋼の長辺部分を既存床４の下側面に当て、床上梁部材１２Ａの各ボルト孔ｂｈ1、既存床４の各ボルト孔４ｂ、及び上弦部材１２Ｂ１ａの各ボルト孔ｂｈ2にそれぞれボルトｂ1を通し、各ボルトｂ1の先のねじ部にナットｎ1をねじ込んで締め付ける。そして、床上梁部材１２Ａと床下梁部材１２Ｂとを既存床４を挟んで一体化し、補強梁１２を構築する。
また、床下梁部材１２Ｂの各ラチス部材１２Ｂ１ｃのボルト孔ｂｈ5にボルトを通し、このボルトの先のねじ部をこれに対応させて既存梁３の側面に植設したナットにねじ込んで締め付け、床上梁部材１２Ａを既存梁３に固着する。
なお、既存梁３に植設したアンカーを用いて、床下梁部材１２Ｂのラチス部材１２Ｂ１ｃ以外の部材を既存梁３に固着するようにしてもよい。
床下梁部材１２Ｂの上弦部材１２Ｂ１ａの端部、下弦部材１２Ｂ１ｂの端部及び底連結板１２Ｂ２の端部を、仕口補強体１３の外中ダイアフラム１３Ｂ２の端部１３Ｂ２ｂ1、床下部分１３Ｂの接続板１３Ｂ５の端部１３Ｂ５ｂ1及び外下ダイアフラム１３Ｂ１の端部１３Ｂ１ｂ1に溶接等の適宜の接合手段により接合し、また、床下梁部材１２Ｂ１のラチス部材１２Ｂ１ｃの仕口補強体１３よりのものの下側の部分を接続板１３Ｂ５の端部１３Ｂ５ｂ1に溶接、ボルト・ナット接合等の適宜の接合手段により接合し、床下梁部材１２Ｂと仕口補強体１３の床下部分１３Ｂとを一体化する。
図５に示すものは、床下梁部材１２Ｂの底連結板１２Ｂ２の端部と外下ダイアフラム１３Ｂ１の端部１３Ｂ１ｂ1とが添え板１４とボルト・ナットを用いて接合されている。
【００１９】
次に、既存梁３の上側の既存柱２に、その外側からコ字形の対の樋状体を嵌め、各樋状体の長手方向の端縁を溶接等の接合手段により接合して、上側の補強柱１１を構築する。
それから、上側の補強柱１１の下端部を、仕口補強体１３の床下部分１３Ｂの床柱部材１３Ｂ４の上部に溶接等の接合手段により接合するとともに、その床上部分１３Ａの外上ダイアフラム１３Ａ１の既存柱２側の端縁１３Ａ１ａ1に溶接等の適宜の接合手段により接合し、仕口補強体１３の上部と上側の補強柱１１とを一体化する。
上述の補強柱１１、補強梁１２及び仕口補強体１３を既存柱２及び既存梁３に取付けて補強フレーム１０を構築する補強方法を、順次上階等の既存柱２及び既存梁３に施すことにより、多層の鉄筋コンクリート造の既存建築物１を耐震補強する。
【００２０】
補強梁１２の床上梁部材１２Ａの上面及び仕口補強体１３の床上部分１３Ａの外上ダイヤフラム１３Ａ１の上面にボルトの頭部及びナットを露出させたくない場合には、例えば、次の〔１〕及び〔２〕のようにする。
〔１〕モザイク板Ｐｍ１，Ｐｍ２の下面の所定位置に前記下面に対して直角にボルトを溶接する。そして、既存梁３の直上の既存床４上にモザイク板Ｐｍ１，Ｐｍ２を配する際に、モザイク板Ｐｍ１，Ｐｍ２に溶接したボルトを既存床３のボルト孔４ｂ，４ｃに差し込むようにする。
〔２〕モザイク板Ｐｍ１，Ｐｍ２の下面の所定位置にナットｎを溶接する。そして、既存梁３の直上の既存床４上にモザイク板１２Ａ１，１３Ａ１ａを配する際に、モザイク板Ｐｍ１，Ｐｍ２に溶接したナットｎを既存床３のボルト孔４ｂ，４ｃの上端部の拡径凹部に嵌め込むようにする。
既存床４に穿設したボルト孔４ｂ，４ｃ又は縦溝孔４ａとボルトｂ1，ｂ2又は床部柱部材１３Ｂ４との間の隙間にモルタル、セメン、接着剤等の充填材を充填し、地震時等の既存床４等に作用する水平力を充填材を介して各ボルト等に伝え、各ボルト等を通して補強フレーム１０に迅速に伝達させ得るようにする。
実施例では、モザイク板Ｐｍ１，Ｐｍ２を既存梁３及び既存床４に組み付けながら、仕口補強体１３の床上部分１３Ａ及び補強梁１２の床上梁部材１２Ａを形成する場合を説明した。補強梁１２の床下梁部材１２ｂ及び仕口補強体１３の床下部分１３Ｂをそれぞれ多数の構成部分に分けて工場等で生産し、それらの構成部分を工事現場に搬入し、それらを既存建築物１の既存柱２、既存梁３及び既存床４に組み付けながら、補強梁１２の床下梁部材１２Ｂ及び仕口補強体１３の床下部分１３Ｂを構築するようにしてもよい。
なお、補強梁１２、仕口補強体１３等で補強された既存床４の上側には、必要に応じて、フリーアクセスフロアＦａが設けられる。
【００２１】
【発明の効果】
この発明は、特許請求の範囲の欄に記載した構成を備えることにより、次の（イ）〜（ヌ）の効果を奏する。
（イ）請求項１記載の既存建築物の耐震補強方法は、少なくとも既存柱、既存梁及び既存床を備えた鉄筋コンクリート造又は鉄骨鉄筋コンクリート造の既存建築物の耐震補強方法において、既存柱の周囲を覆うように鋼製の補強柱を設け、既存梁上の既存床の上側に鋼製の補強梁の床上梁部材を配し、かつ既存梁の下側に既存梁の下側を覆うように補強梁の床下梁部材を配し、既存床を貫通させた鋼製の連結部材にて床上梁部材と床下梁部材とを既存床を挾んで接合して補強梁を構築し、既存柱と既存梁との接合部である既存仕口部の上側に鋼製の仕口補強体の床上部分を配し、既存仕口部の下側に仕口補強体の床下部分を配し、既存床を貫通させた鋼製の連結部材にて仕口補強体の床上部分と床下部分とを既存床を挾んで接合して仕口補強体を構築し、補強柱及び補強梁を仕口補強体に接合して剛性や耐力の大きい補強フレームを構築するから、補強フレーム単独で耐震上の耐力を有し、この耐力を既存建築物に累加することができる。
また、請求項１記載の耐震補強方法は、ブレース、耐震壁等を新たに設けないから、既存建築物の建物動線を遮断することがなく、その使い勝手を損ねることが全くなく、その剪断耐力を大幅に上昇させることができる。
さらに、請求項１記載の耐震補強方法は、既存建築物へ加える加工はその既存床に連結部材を貫通させるための孔又は溝孔を設けるだけである。また、補強による有効なスペースの減少は、天井を設置する場合には、床の上面が補強梁の床上梁部材の鋼板の厚さだけ上がり、柱の断面が既存柱を覆う補強柱の鋼板の厚さだけであり、既存建築物の機能、美観等を損ねることがない。従来の耐震補強方法のように、部屋の使用勝手の阻害、部屋の有効面積の減少、産業廃棄物の大量発生の問題等は生じない。
【００２２】
（ロ）請求項２記載の既存建築物の耐震補強方法は、仕口補強体の床上部分を鋼板製の外上ダイヤフラムで構成し、その床下部分を鋼製の外下ダイヤフラムと、外中ダイヤフラムと、外下ダイヤフラムと外中ダイヤフラムとを連結する仕口柱部材及び接続板とで構成し、既存柱の周囲の既存床のその下側に既存梁が存在しない部分に既存柱に沿って既存床を貫通する縦溝孔を設け、前記仕口柱部材と一体化される鋼製の床柱部材が前記縦溝孔に通され、仕口柱部材及び床柱部材と補強柱とが一体化されるから、補強フレームの一部を構成する上側の補強柱と下側の補強柱とを仕口補強体の仕口柱部材及び床柱部材を介して一体化でき、既存建築物を損ねることなく補強柱、補強梁及び仕口補強体からなる補強フレームを構築することができ、その耐震上の耐力を増大させることができる。
（ハ）請求項３に記載されているようにして、鋼製の仕口補強体の床下部分をつくると、補強柱と補強梁との接合が容易な仕口補強体が得られ、補強フレームの構成部材の既存建築物への組み付けの施工性が向上する。
【００２３】
（ニ）請求項４記載の既存建築物の耐震補強方法は、既存床を貫通させた鋼製の連結部材にて外上ダイヤフラムと外中ダイヤフラムとを既存床を挾んで接合するから、仕口補強体の床上部分と床下部分とを容易かつ確実に一体化することができる。
（ホ）請求項５記載の既存建築物の耐震補強方法は、補強梁の床下梁部材及び仕口補強体の床下部分の構成部分をこれらに対応する既存建築物の部分に植設したアンカーを用いて既存建築物に固着するから、地震時等における補強柱、補強梁及び仕口補強体からなる補強フレームの座屈を防止することができる。
（ヘ）請求項６記載の既存建築物の耐震補強方法は、鋼製の補強梁の床上梁部材を既存梁の幅よりも幅広にし、補強梁の床下梁部材を対の平面トラスを既存梁の幅に合わせて平行に配し各平面トラスの下弦部材を鋼製の底連結部材で連結して横断面略Ｕ形にして形成し、既存床を貫通させた鋼製の連結部材にて補強梁の床上梁部材と床下梁部材の平面トラスの上弦部材とを既存床を挾んで接合するから、補強梁の床上梁部材と床下梁部材とを容易かつ確実に一体化することができる。  そのうえ、対の平面トラスを用いて床下梁部材をつくるから、容易に軽量化することができ、既存梁への組付等も容易になる。
【００２４】
（ト）請求項７記載の既存建築物の耐震補強方法は、補強梁の床下梁部材の対の平面トラスの上弦部材を山形鋼で構成し、対の平面トラスの下弦部材を連結する底連結部材を既存梁の幅よりも幅広につくるから、補強梁の床下梁部材の耐力を容易に増大させることができ、既存床を貫通させた連部材による補強梁の床上梁部材と床下梁部材の平面トラスの上弦部材との接合性もよくなる。
（チ）請求項８記載の既存建築物の耐震補強方法は、補強梁の床上梁部材、仕口補強体の外上ダイヤフラム、外下ダイヤフラム及び外中ダイヤフラムを、複数の鋼製のモザイク板を接合して構成するから、モザイク板を接合しながら既存建築物に組み付けることができ、補強フレームの組立作業等が容易になる。
（リ）請求項９記載の既存建築物の耐震補強方法は、補強梁の床上梁部材又は仕口補強体の外上ダイヤフラムを構築するための鋼製のモザイク板の下面の所定位置に、鋼製の連結部材（例えば、ボルト、スタッド、ナット）を溶接等の接合手段により強固に接合するから、ボルトの頭部やナットがモザイク板の上面に突出することがない。
（ヌ）請求項１０記載の既存建築物の耐震補強方法は、既存床に穿設された孔又は溝孔の内周面と該孔又は溝孔に通された連結用の部材の外周面との間の隙間をモルタル、セメント、接着剤等の充填材で埋めるから、既存建築物に作用する地震力等を直ちに充填材及び連結用の部材を介して補強柱、補強梁及び仕口補強体からなる補強フレームに伝達することができ、その地震力等を補強フレームで受けることができる。
【図面の簡単な説明】
【図１】実施例のこの発明の耐震補強方法により補強された既存建築物を図２のＡ−Ａ線で断面した要部の正面図
【図２】図１に示す既存建築物をそのＢ−Ｂ線で断面した要部の平面図
【図３】図１に示す既存建築物をそのＣ−Ｃ線で断面した要部の平面図
【図４】図１に示す既存建築物をそのＤ−Ｄ線で断面した要部の平面図
【図５】図１に示す既存建築物をそのＥ−Ｅ線で断面した要部の平面図
【図６】図１に示す既存建築物の補強された梁をそのＦ−Ｆ線で断面した要部の側面図
【図７】既存建築物の補強された他の形式の梁を図１のＦ−Ｆ線と同じ線で断面した要部の平面図
【図８】図１に示す既存建築物の補強された仕口部をそのＧ−Ｇ線で断面した要部の側面図
【図９】実施例の下面にボルトを溶接したモザイク板の正面図
【図１０】実施例の下面にナットを溶接したモザイク板の正面図
【符号の説明】
１  既存建築物
２  既存柱
３  既存梁
４  既存床
４ａ  縦溝孔
４ｂ，４ｃ  ボルト孔
１０  補強フレーム
１１  補強柱
１２  補強梁
１２Ａ  床上梁部材
１２Ｂ  床下梁部材
１２Ｂ１ａ  上弦部材
１２Ｂ１ｂ  下弦部材
１２Ｂ１ｃ  ラチス部材
１２Ｂ２  底連結部材
１３  仕口補強体
１３Ａ  仕口補強体の床上部分
１３Ａ１  外上ダイヤフラム
１３Ｂ  仕口補強体の床下部分
１３Ｂ１  外下ダイヤフラム
１３Ｂ２  外中ダイヤフラム
１３Ｂ３  仕口柱部材
１３Ｂ４  床柱部材
１３Ｂ５接続板
ｂｈ１〜ｂｈ５  ボルト孔
ｂ１〜ｂ２  ボルト
Ｆａ  フリーアクセスフロア
ｎ１〜ｎ２  ナット
Ｐｍ１〜Ｐｍ４  モザイク板
【図１】
0003766940.tif 000002
【図２】
0003766940.tif 000003
【図３】
0003766940.tif 000004
【図４】
0003766940.tif 000005
【図５】
0003766940.tif 000006
【図６】
0003766940.tif 000007
【図７】
0003766940.tif 000008
【図８】
0003766940.tif 000009
【図９】
0003766940.tif 000010
【図１０】
0003766940.tif 000011